(57)【特許請求の範囲】
【請求項１】
天板を備えた什器に付加部材を取り付けるための取付構造であって、
下面に複数の係止孔が間隔を隔てて形成された前記天板に、付加部材がブラケットを介して取り付けられ、
前記ブラケットは、
前記天板の下面の前記係止孔に係止される第一ブラケットと、
前記第一ブラケットに隣接して前記天板の下面の他の前記係止孔に係止される第二ブラケットと、
前記第一ブラケットと前記第二ブラケットとを連結する連結部材と、を備え、
前記第一ブラケットは、
前記第二ブラケットから離間する側の端部に形成され、前記天板に対向する側に延びる第一基部、および前記第一基部から前記天板に沿う方向であって、前記第二ブラケットから離間する側に延びる第一爪部を有する第一係止爪を具備し、
前記第一係止爪は、前記係止孔に係止され、
前記第二ブラケットは、
前記第一ブラケットから離間する側の端部に形成され、前記天板に対向する側に延びる第二基部、および前記第二基部から前記天板に沿う方向であって、前記第一ブラケットから離間する側に延びる第二爪部を有する第二係止爪を具備し、
前記第二係止爪は、前記係止孔に係止され、
前記連結部材に貫通孔が形成され、
前記第一ブラケットおよび前記第二ブラケットにボルト孔がそれぞれ形成され、前記連結部材に形成された前記貫通孔を通して前記ボルト孔にボルトをねじ込むことで、前記第一ブラケットと前記第二ブラケットとが連結されることを特徴とする付加部材の取付構造。
【請求項２】
前記第一ブラケットおよび前記第二ブラケットは、前記第一係止爪および前記第二係止爪により前記天板の下面に係止された一端側に対し、他端側が前記天板から側方に突出して前記付加部材に固定されることを特徴とする請求項１に記載の付加部材の取付構造。
【請求項３】
前記第一ブラケットおよび前記第二ブラケットにそれぞれ貫通孔が形成され、前記付加部材に形成されたボルト孔に前記第一ブラケットおよび前記第二ブラケットにそれぞれ形成された前記貫通孔を通してボルトをねじ込むことで、前記第一ブラケットおよび前記第二ブラケットが前記付加部材に固定されていることを特徴とする請求項２に記載の付加部材の取付構造。
【請求項４】
天板を備えた什器に付加部材を取り付けるための取付構造であって、
下面に複数の係止孔が間隔を隔てて形成された前記天板に、付加部材がブラケットを介して取り付けられ、
前記ブラケットは、
前記天板の下面の前記係止孔に係止される第一ブラケットと、
前記第一ブラケットに隣接して前記天板の下面の他の前記係止孔に係止される第二ブラケットと、
前記第一ブラケットと前記第二ブラケットとを連結する連結部材と、を備え、
前記第一ブラケットは、
前記第二ブラケットから離間する側の端部に形成され、前記天板に対向する側に延びる第一基部、および前記第一基部から前記天板に沿う方向であって、前記第二ブラケットから離間する側に延びる第一爪部を有する第一係止爪を具備し、
前記第一係止爪は、前記係止孔に係止され、
前記第二ブラケットは、
前記第一ブラケットから離間する側の端部に形成され、前記天板に対向する側に延びる第二基部、および前記第二基部から前記天板に沿う方向であって、前記第一ブラケットから離間する側に延びる第二爪部を有する第二係止爪を具備し、
前記第二係止爪は、前記係止孔に係止され、
前記第一ブラケットは、前記天板に対向する側に延び、前記係止孔に挿入される第一挿入爪をさらに備え、
前記第二ブラケットは、前記天板に対向する側に延び、前記係止孔に挿入される第二挿入爪をさらに備えることを特徴とする付加部材の取付構造。
【請求項５】
前記第一ブラケットと前記第二ブラケットとのそれぞれは、前記第一係止爪および前記第二係止爪が前記係止孔に挿入されて係止された状態で互いに突き当たることで、該突き当たる前記第二ブラケットまたは前記第一ブラケットと、前記第一係止爪、前記第二係止爪がそれぞれ挿入された前記係止孔との間に挟み込まれることを特徴とする請求項１から請求項４のいずれか一項に記載の付加部材の取付構造。
【請求項６】
前記連結部材に、前記付加部材、または前記付加部材を支持するための支持金具が取り付けられていることを特徴とする請求項１から請求項５のいずれか一項に記載の付加部材の取付構造。
【請求項７】
前記連結部材は、前記付加部材であることを特徴とする請求項１から請求項５のいずれか一項に記載の付加部材の取付構造。
【請求項８】
請求項１から７のいずれか一項に記載の付加部材の取付構造を備えることを特徴とする什器。
【発明の詳細な説明】
【技術分野】
【０００１】
本発明は、什器の天板への付加部材の取付構造、および什器に関する。
【背景技術】
【０００２】
オフィス等の執務空間にて使用されるデスクやカウンター等の什器においては、使用者が執務や作業等を行うための作業面を形成する天板が備えられているのが一般的である。
【０００３】
什器の使用形態によっては、天板上の平面の拡張が迫られることがある。このような場合に、天板裏面を利用して補助天板を固定し、天板上の作業面を拡張する方法等が提案されている（例えば、特許文献１、２参照）。
【先行技術文献】
【特許文献】
【０００４】
【特許文献１】特開平１０−１５５５５１号公報、
【特許文献２】特開平１０−４２９６６号公報
【発明の概要】
【発明が解決しようとする課題】
【０００５】
しかしながら、上記のような上記の方法においては、補助天板を、ブラケットを介して天板に固定する。ブラケットは、ボルトにより天板に固定され、これにともない、天板の裏面側に、ボルトを固定するためのボルト穴を形成する必要がある。
ブラケットの天板への固定にボルトを用いると、補助天板の天板に対する取り付け位置を変更したい場合や、一つの天板に複数の補助天板を取り付けたい場合等に、これに応じて天板の下面に複数のボルト穴を形成しなければならない。ボルト穴の形成には、単なる孔やスリットの形成に比較すれば手間がかかる。したがって、加工工数および加工コストを要してしまうという問題がある。また、例えばユーザ側でオプション部材や補助天板の位置変更等を気軽に行えないという問題もある。
【０００６】
また、天板の下方は、椅子に腰掛けた利用者の下肢を収容したり、引出し等の収納用什器を格納するための空間として利用されていることが多い。天板の下方空間をさらに効率的に利用するため、天板に各種のオプション部材（付加部材）を吊り下げて設けることが考えられるが、この場合も、天板下面にオプション部材をボルト固定したのでは、上記と同様の問題が生じる。
【０００７】
そこでなされた本発明の目的は、補助天板をはじめとする各種の付加部材を、加工工数および加工コストを抑えて低コストで天板に取付可能とし、さらには天板の幅方向の任意の位置に容易に取付可能とすることのできる付加部材の取付構造および什器を提供することである。
【課題を解決するための手段】
【０００８】
本発明は、上記課題を解決するため、以下の手段を採用する。
すなわち、本発明は、天板を備えた什器に付加部材を取り付けるための取付構造であって、下面に複数の係止孔が間隔を隔てて形成された天板に付加部材がブラケットを介して取り付けられ、ブラケットは、天板の下面に係止される第一ブラケットと、第一ブラケットに隣接して天板の下面に係止される第二ブラケットと、第一ブラケットと第二ブラケットとを連結する連結部材と、を備える。そして、第一ブラケットは、第二ブラケットから離間する側の端部に形成され天板に対向する側に延びる第一基部、および第一基部から天板に沿う方向であって、第二ブラケットから離間する側に延びる第一爪部を有する第一係止爪を具備し、第一係止爪は、係止孔に係止される。第二ブラケットは、第一ブラケットから離間する側の端部に形成され天板に対向する側に延びる第二基部、および第二基部から天板に沿う方向であって、第一ブラケットから離間する側に延びる第二爪部を有する第二係止爪を具備し、第二係止爪は、係止孔に係止される。連結部材に貫通孔が形成され、第一ブラケットおよび第二ブラケットにボルト孔がそれぞれ形成され、連結部材に形成された貫通孔を通してボルト孔にボルトをねじ込むことで、第一ブラケットと第二ブラケットとが連結される。
このような取付ブラケットは、第一ブラケット、第二ブラケットの第一係止爪、第二係止爪を天板の係止孔に挿入して係止させることで、第一ブラケットは、第二ブラケットから離間する側の端部が天板に係止され、第二ブラケットは第一ブラケットから離間する側の端部が天板に係止される。そして、連結部材によって、このような第一ブラケット、第二ブラケットを連結することで、第一ブラケットと第二ブラケットを一体化する。すると、これら一体化された第一ブラケットおよび第二ブラケットは、その両端部が第一係止爪および第二係止爪により係止された状態で天板に固定することができる。
このようなブラケットに各種の付加部材を取り付けることで、天板に付加部材を取り付けることができる。
このとき、天板には、係止孔を形成すれば良く、ボルト孔を複数形成したり、多くの種類の孔を形成する必要も無い。
また、これにより、ボルト孔は第一ブラケット、第二ブラケットに形成するのみで、天板に形成する必要が無い。このことからも、付加部材の取付を低コストに行える。
【００１０】
第一ブラケットおよび第二ブラケットは、第一係止爪および第二係止爪により天板の下面に係止された一端側に対し、他端側が天板から側方に突出して付加部材に固定される構成とすることができる。
この場合、第一ブラケットおよび第二ブラケットにそれぞれ貫通孔が形成され、付加部材に形成されたボルト孔に貫通孔を通してボルトをねじ込むことで、第一ブラケットおよび第二ブラケットを付加部材によって連結することができる。すなわち、付加部材が連結部材として機能する。ボルト孔は付加部材に設ければ良いので、天板側に多数のボルト孔を形成する必要は無い。
ここで、付加部材に、ボルト孔を、天板に形成された係止孔のピッチよりも小さなピッチで複数組備えるようにすれば、天板に対する付加部材の相対位置を、係止孔のピッチより細かいピッチで調整することが可能となる。
【００１１】
第一ブラケットおよび第二ブラケットにそれぞれ貫通孔が形成され、付加部材に形成されたボルト孔に第一ブラケットおよび第二ブラケットにそれぞれ形成された貫通孔を通してボルトをねじ込むことで、第一ブラケットおよび第二ブラケットが付加部材に固定されていることもできる。
また、天板を備えた什器に付加部材を取り付けるための取付構造であって、下面に複数の係止孔が間隔を隔てて形成された天板に、付加部材がブラケットを介して取り付けられ、ブラケットは、天板の下面の係止孔に係止される第一ブラケットと、第一ブラケットに隣接して天板の下面の他の係止孔に係止される第二ブラケットと、第一ブラケットと第二ブラケットとを連結する連結部材と、を備え、第一ブラケットは、第二ブラケットから離間する側の端部に形成され、天板に対向する側に延びる第一基部、および第一基部から天板に沿う方向であって、第二ブラケットから離間する側に延びる第一爪部を有する第一係止爪を具備し、第一係止爪は、係止孔に係止され、第二ブラケットは、第一ブラケットから離間する側の端部に形成され、天板に対向する側に延びる第二基部、および第二基部から天板に沿う方向であって、第一ブラケットから離間する側に延びる第二爪部を有する第二係止爪を具備し、第二係止爪は、係止孔に係止され、第一ブラケットは、天板に対向する側に延び、係止孔に挿入される第一挿入爪をさらに備え、第二ブラケットは、天板に対向する側に延び、係止孔に挿入される第二挿入爪をさらに備える。
これにより、これら第一挿入爪、第二挿入爪を天板の係止孔に係止することにより、第一係止爪、第二係止爪が天板の係止孔に挿入・係止された第一ブラケット、第二ブラケットが不用意に動くのを防止できる。
また、第一ブラケットと第二ブラケットとのそれぞれは、互いに近接した状態で連結部材によって連結することもできるが、第一係止爪および第二係止爪が係止孔に挿入されて係止された状態で互いに突き当たることで、突き当たる第二ブラケットまたは第一ブラケットと、第一係止爪、第二係止爪がそれぞれ挿入された係止孔との間に挟み込まれるようにするのが好ましい。これにより、第一ブラケットと第二ブラケットが、それぞれ天板の係止孔に係止させるだけで互いに拘束し合うことで、天板に仮係止させることができ、その後の連結部材の取り付けなどをより容易に行うことができる。
【００１２】
このような連結部材に、付加部材、または付加部材を支持するための支持金具を取り付けることができる。
また、連結部材は、付加部材であってもよい。
【００１４】
また、本発明は、上記したような付加部材の取付構造を備える什器とすることもできる。
【発明の効果】
【００１５】
本発明によれば、補助天板をはじめとする各種の付加部材を、加工工数および加工コストを抑えて低コストで天板に取付可能とし、さらに天板の幅方向の任意の位置に容易に取り付けることができる。
【図面の簡単な説明】
【００１６】
【図１】本実施形態における什器の一例を示す斜視図である。
【図２】補助天板が取り付けられた天板を下方から見た図である。
【図３】補助天板が取り付けられた天板の側断面図である。
【図４】ブラケットの表裏を示す斜視図である。
【図５】ブラケットの四面図である。
【図６】天板へのブラケットの取付の流れを示す図である。
【図７】図６に続く状態を示す図である。
【図８】補助天板の下面図である。
【図９】ブラケットの他の例を示す図であり、天板へのブラケットの取付の流れを示す図である。
【図１０】図９に続く状態を示す図である。
【図１１】ブラケットの他の例を示す図であり、幅の異なるブラケットを入れ替えることで、付加部材の吊り下げ位置を変更する場合の例を示す図である。
【図１２】連結部材に付加部材を吊り下げて設けた場合の例を示す図である。
【図１３】他の付加部材の例を示す写真図である。
【発明を実施するための形態】
【００１７】
以下、添付図面を参照して、本発明による付加部材の取付構造および什器を実施するための最良の形態を説明する。しかし、本発明はこれらの実施例のみに限定されるものではない。
【００１８】
（第１の実施形態）
図１は、本実施形態におけるデスク装置、カウンター等の什器１０の一例を示す斜視図である。なお、以下の説明において、上方、下方、前方、後方といった方向は、什器１０を床面上に設置して使用するときの状態に対応した方向としている。すなわち、什器１０が設置される床面側を「下方」、その反対方向を「上方」、この什器１０を使用するユーザが什器１０に対向する側を「前方」、その反対側を「後方」と称する。
【００１９】
図１に示すように、什器１０は、什器１０が設置される床面上に立ち上がる一対の支持体１１、１１と、これら支持体１１、１１によって、床面の上方の所定高さに支持された天板１２と、を備える。
【００２０】
ここで、支持体１１としては、様々な形状の支持脚や、引き出しを備えた袖箱等を採用できる。また、支持体１１は、二つに限られず、三つ以上備えていても良い。また、例えば壁面やパーティションに天板１２を取り付ける場合、支持体１１として、略Ｌ字状の金具等を用いることもできる。
【００２１】
このような什器１０の天板１２には、例えば補助天板（連結部材、付加部材）２０が取り付け可能となっている。補助天板２０は、必要に応じ、床上に立設される支持脚２２を備えることもできる。以下、天板１２に対する補助天板２０の取り付け構造について説明する。
図２に示すように、天板１２の下面には、前縁部１２ａの近傍に、係止孔１５が、天板１２の幅方向に沿って一定間隔を隔てて配列されている。各係止孔１５は、天板１２の幅方向に沿って一定長を連続させたスリット状に形成されている。
【００２２】
図３に示すように、天板１２の下面には、スペーサ１２ｂを介して下面板１２ｃが間隔を隔てて設けられている。これにより、下面板１２ｃの上方には空間Ｓが形成されている。
前記の係止孔１５は、この下面板１２ｃを上下に貫通することで形成されている。
【００２３】
図１、図２に示すように、補助天板２０は、任意の形状（図１、図２の例では矩形状）を有した板状で、少なくともその一辺２０ａが直線状とされ、天板１２の前縁部１２ａに突き合わせた状態で、ブラケット３０により天板１２に固定される。なおここで、補助天板２０は、いかなる平面形状としても良い。
図４、図５に示すように、ブラケット３０は、二枚一対のブラケットプレート（第一ブラケット）３１Ａおよびブラケットプレート（第二ブラケット）３１Ｂからなる。ブラケットプレート３１Ａ、３１Ｂは、左右対称で、矩形状のベース板部３２と、ベース板部３２の外周縁部から立ち上がるリブ壁３３と、を有する。ベース板部３２の四方に形成されたリブ壁３３の一辺３３ａには、係止爪（第一係止爪、第二係止爪）３４と、挿入爪３５とが設けられている。
【００２４】
係止爪３４は、リブ壁３３の一辺３３ａの一方の端部に形成され、リブ壁３３に連続して形成された基部（第一基部、第二基部）３４ａと、基部３４ａからリブ壁３３の一辺３３ａに沿い、かつブラケットプレート３１Ａ、３１Ｂの外方に向けて延びる爪部（第一爪部、第二爪部）３４ｂとからなる略Ｌ字状とされている。
【００２５】
また、挿入爪３５は、リブ壁３３に連続してベース板部３２側から立ち上がるように形成されている。図６（ａ）に示すように、この挿入爪３５は、その幅Ｗが、係止孔１５のスリット長Ｌよりもわずかに小さく形成されている。また、挿入爪３５は、図６（ｂ）に示すように、係止爪３４の爪部３４ｂを係止孔１５に挿入し、基部３４ａを係止孔１５の一端１５ａに突き当てたときに、図６（ｃ）に示すように、他の係止孔１５に対向して、この係止孔１５に挿入できるように形成されている。
【００２６】
ブラケットプレート３１Ａとブラケットプレート３１Ｂは、係止爪３４が形成された側とは反対側の端面３６において互いに突き合わされるようになっている。ここで、図６（ｂ）に示すように、ブラケットプレート３１Ａとブラケットプレート３１Ｂのそれぞれにおいて、係止爪３４の爪部３４ｂを、複数の係止孔１５のうち任意（所望）の係止孔１５に挿入して基部３４ａを係止孔１５の一端１５ａに突き当て、さらに図６（ｃ）に示すように、端面３６側を天板１２に向けて押すと、他の係止孔１５に挿入爪３５が挿入される。このときに、図７（ａ）に示すように、ブラケットプレート３１Ａ、ブラケットプレート３１Ｂは、端面３６、３６どうしが突き当たるように形成されている。端面３６、３６どうしが突き当たることによって、係止爪３４の基部３４ａが係止孔１５の一端１５ａに押し付けられ、これによって、図７（ｂ）に示すように、ブラケットプレート３１Ａ、３１Ｂは、突き当たる相手側となる他方のブラケットプレート３１Ｂ、３１Ａと、係止孔１５の一端１５ａとで挟み込まれたような状態となる。このようにして、ブラケットプレート３１Ａ、３１Ｂは、それぞれ天板１２の係止孔１５に係止させるだけで互いに拘束し合い、天板１２に仮係止させることができる。
【００２７】
図４に示したように、ブラケットプレート３１Ａ、３１Ｂのベース板部３２には、貫通孔３８が貫通形成されている。さらに、ブラケットプレート３１Ａ、３１Ｂの端面３６の近傍には、ボルト孔凹部（凹部）３９が形成されている。このボルト孔凹部３９は、ブラケットプレート３１Ａ、３１Ｂの端面３６、３６どうしを突き合わせたときに、他方のボルト孔凹部３９と対向することで、貫通孔３８と同様の貫通孔（孔）４０を構成する。
【００２８】
図３に示したように、上記したようなブラケットプレート３１Ａ、３１Ｂは、リブ壁３３の一辺３３ａに形成された係止爪３４、挿入爪３５を天板１２の下面に形成された係止孔１５に挿入した状態で、リブ壁３３において一辺３３ａに対向する対向辺３３ｂ側が天板１２の前縁部１２ａから前方に突出するようになっている。そして、天板１２の前縁部１２ａから突出したブラケットプレート３１Ａ、３１Ｂ上に補助天板２０が支持される。ここで、図８に示すように、補助天板２０の下面には、ブラケットプレート３１Ａ、３１Ｂのそれぞれに形成された貫通孔３８と、ブラケットプレート３１Ａ、３１Ｂの間に形成された貫通孔４０と、に対応して、３個一組のボルト孔４１、４２、４３が形成されている。これら３個一組のボルト孔４１、４２、４３は、天板１２に形成された係止孔１５のピッチＰよりも小さなピッチＱずつ、一辺２０ａに沿った方向にシフトして、合計３組が形成されている。
【００２９】
図３、図７（ｂ）、（ｃ）に示すように、補助天板２０は、このようなブラケットプレート３１Ａ、３１Ｂに対し、３本のボルト４５を、貫通孔３８、３８、４０を通していずれかの組のボルト孔４１、４２、４３にねじ込むことで固定される。これにより、ブラケットプレート３１Ａ、３１Ｂは、補助天板２０によって連結固定される。また、補助天板２０は、ブラケットプレート３１Ａ、３１Ｂからなるブラケット３０を介して天板１２に取付固定される。
【００３０】
上述したような構成により、補助天板２０をブラケットプレート３１Ａ、３１Ｂを介して天板１２に容易に取り付けることができる。このとき、ブラケットプレート３１Ａ、３１Ｂは、天板１２に対しては、係止爪３４、挿入爪３５を係止孔１５に挿入するのみで係止される。したがって、天板１２には、係止孔１５を設けるのみで良く、係止爪３４と挿入爪３５、あるいはブラケットプレート３１Ａとブラケットプレート３１Ｂとで、それぞれ異なる係止孔を用意する必要がない。したがって、補助天板２０の取付を高い自由度でしかも低コストに行うことができる。
【００３１】
また、ブラケットプレート３１Ａ、３１Ｂは、係止爪３４の爪部３４ｂを係止孔１５に挿入し、さらに端面３６側を天板１２に向けて押すと、端面３６、３６どうしが突き当たる。これにより、ブラケットプレート３１Ａ、３１Ｂは、他方のブラケットプレート３１Ｂ、３１Ａと、係止孔１５の一端１５ａとで挟み込まれたような状態となり、天板１２に仮係止される。このようにして、ブラケットプレート３１Ａ、３１Ｂは、それぞれ天板１２の係止孔１５に係止させるだけで互いに拘束し合い、天板１２に仮係止させることができる。
さらに、ボルト４５を、貫通孔３８、３８、４０を通して補助天板２０のボルト孔４１、４２、４３にねじ込むのみで補助天板２０を取り付けることができ、作業性に優れる。
【００３２】
このようなブラケットプレート３１Ａ、３１Ｂは、天板１２の下面板１２ｃの幅方向に一定間隔ごとに形成された複数の係止孔１５のうちから、任意の位置を選択して取り付けることができる。これにより、補助天板２０を、天板１２の幅方向の所望の位置に容易かつ確実に取り付けることが可能となる。さらに、補助天板２０に形成された３組のボルト孔４１、４２、４３の中から、ボルト４５をねじ込むボルト孔４１、４２、４３を選択することにより、天板１２に対する補助天板２０の位置を、係止孔１５のピッチＰよりも細かいピッチＱで調整することができる。
【００３３】
（その他の実施形態）
なお、本発明は、図面を参照して説明した上述の各実施形態に限定されるものではなく、その技術的範囲において様々な変形例が考えられる。以下、その変形例を示す。なお、変形例においては、上記実施形態で示した構成と共通する構成については、同符号を付してその説明を省略する。
ブラケットプレート３１Ａ、３１Ｂは、左右対称な構成としたが、これに限る物ではなく、非対称とすることもできる。すなわち、図９に示すように、ブラケットプレート（第一ブラケット）３１Ｃおよびブラケットプレート（第二ブラケット）３１Ｄは、一方のブラケットプレート３１Ｃの幅が、他方のブラケットプレート３１Ｄの幅よりも大きく設定されている。
ブラケットプレート３１Ｃ、３１Ｄは、天板１２に対しては、係止爪３４、挿入爪３５を係止孔１５に挿入するのみで係止される。したがって、天板１２には、係止孔１５を設けるのみで良く、係止爪３４と挿入爪３５、あるいはブラケットプレート３１Ｃとブラケットプレート３１Ｄとで、それぞれ異なる係止孔を用意する必要がない。また、図９（ａ）、（ｂ）に示すように、ブラケットプレート３１Ｃ、３１Ｄは、それぞれの係止爪３４を係止孔１５に挿入し、さらに他の係止孔１５に挿入爪３５を挿入する。このときに、図９（ｃ）、（ｄ）に示すように、ブラケットプレート３１Ｃ、ブラケットプレート３１Ｄは、端面３６、３６どうしを突き合わせて天板１２の下面板１２ｃに押し付けると、他方のブラケットプレート３１Ｄ、３１Ｃと、係止孔１５とで挟み込まれたような状態となる。このようにして、ブラケットプレート３１Ｃ、３１Ｄは、それぞれ天板１２の係止孔１５に係止させるだけで互いに拘束し合い、天板１２に仮係止させることができる。
【００３４】
また、上記実施形態においては、ブラケットプレート３１Ａ、３１Ｂの対向辺３３ｂ側が天板１２の前縁部１２ａから前方に突出して補助天板２０に固定される構成となっているが、これに限るものではない。すなわち、図１０に示したように、ブラケットプレート３１Ｃ、３１Ｄは、天板１２の下面のみに固定することも可能である。その場合、ブラケットプレート３１Ｃ、３１Ｄは、連結プレート（連結部材）５０によって連結される。連結プレート５０は、ブラケットプレート３１Ｃ、３１Ｄの双方に跨るように設けられる。ブラケットプレート３１Ｃ、３１Ｄのそれぞれには、ボルト孔５１が形成されており、連結プレート５０には、これらボルト孔５１、５１に対応した位置に貫通孔５２、５２が形成されている。
前記したように、ブラケットプレート３１Ｃ、３１Ｄを天板１２の下面に仮係止した後、図１０に示すように、ブラケットプレート３１Ｃ、３１Ｄの下面に連結プレート５０を当て、貫通孔５２、５２を通してブラケットプレート３１Ｃ、３１Ｄのボルト孔５１、５１にボルト５３をねじ込むことにより、連結プレート５０がブラケットプレート３１Ｃ、３１Ｄに固定される。これにより、ブラケットプレート３１Ｃ、３１Ｄが互いに連結・固定される。
このようなブラケットプレート３１Ｃ、３１Ｄは、天板１２の下面のみに固定することが可能であり、さらに、連結プレート５０は、ブラケットプレート３１Ｃ、３１Ｄのみにボルト孔５１を形成すれば良く、天板１２には形成する必要が無いことから、加工の工数およびコストを抑えることができる。
また、このようなブラケットプレート３１Ｃ、３１Ｄは、前述したように、それぞれ天板１２の係止孔１５に係止させるだけで互いに拘束し合い、天板１２に仮係止させることができるので、その後の連結部材５０の取付等を容易に行うことができる。
また、このような連結プレート５０により連結する構成は、上記実施形態で示したブラケットプレート３１Ａ、３１Ｂにおいても同様に適用できる。
【００３５】
さらに、ブラケットプレート３１Ｃ、３１Ｄのボルト孔５１を複数設けておけば、ブラケットプレート３１Ｃ、３１Ｄに対する連結プレート５０の相対位置を調整できる。
【００３６】
また、図１１（ａ）、（ｂ）に示すように、上記のように幅の異なるブラケットプレート３１Ｃ、３１Ｄは、ボルト孔５１、５１の位置を、ブラケットプレート３１Ｃ、３１Ｄを連結した状態での中心線Ｃに対して線対称としないようにしておくことで、ブラケットプレート３１Ｃ、３１Ｄの位置関係を入れ替えるだけで、ブラケットプレート３１Ｃ、３１Ｄに対する連結プレート５０の相対位置を容易に変更することが可能である。
【００３７】
さらに、図１２に示したように、このような連結プレート５０に、オプション部材（付加部材６０を取り付けることができる。これには、連結プレート５０を、例えば両端部に断面Ｃ字状の保持部５０ａ、５０ａを有した構成としておくことで、この保持部５０ａ、５０ａに、プレート状の取付金具５５を挿入して保持させる。そして、この取付金具５５に、様々なオプション部材（付加部材）６０をつり下げることができる。
図１２に示したオプション部材６０は、コンピュータ装置６１を保持するフレーム６２である。オプション部材６０としては、他にも図１３に示すように、カバン等を物品置くためのフレーム６３や、カバン、書類や書籍等の物品を収容するボックス６４等、様々な形態が採用できる。
これ以外にも、本発明の主旨を逸脱しない限り、上記実施の形態で挙げた構成を取捨選択したり、他の構成に適宜変更することが可能である。
【符号の説明】
【００３８】
１０  什器
１１  支持体
１２  天板
１２ｃ  下面板
１５  係止孔
２０  補助天板（連結部材、付加部材）
３０  ブラケット
３１Ａ、３１Ｃ  ブラケットプレート（第一ブラケット）
３１Ｂ、３１Ｄ  ブラケットプレート（第二ブラケット）
３４  係止爪（第一係止爪、第二係止爪）
３４ａ  基部（第一基部、第二基部）
３４ｂ  爪部（第一爪部、第二爪部）
３５  挿入爪
３６  端面
３８  貫通孔
３９  ボルト孔凹部（凹部）
４０  貫通孔（孔）
４１  ボルト孔
４５  ボルト
５０  連結プレート（連結部材）
５１  ボルト孔
５２  貫通孔
５３  ボルト
５５  取付金具
６０  オプション部材（付加部材）
６２  フレーム
６３  フレーム
６４  ボックス
【図１】
0005512333.tif 000002
【図２】
0005512333.tif 000003
【図３】
0005512333.tif 000004
【図４】
0005512333.tif 000005
【図５】
0005512333.tif 000006
【図６】
0005512333.tif 000007
【図７】
0005512333.tif 000008
【図８】
0005512333.tif 000009
【図９】
0005512333.tif 000010
【図１０】
0005512333.tif 000011
【図１１】
0005512333.tif 000012
【図１２】
0005512333.tif 000013
【図１３】
0005512333.tif 000014